(57)【要約】【課題】  小型軽量化を図りながらも、ズーム全域にわたって諸収差が良好に補正され、高変倍比、高解像および高コントラストな光学性能を実現できるようにした広角ズームレンズを提供する。【解決手段】  変倍時に固定の正の屈折力を有する第１レンズ群Ｇ１と、変倍時に可動の負の屈折力を有する第２レンズ群Ｇ２と、変倍に伴う像面の変動を補正する負の第３レンズ群Ｇ３と、変倍時に固定の正の屈折力を有する第４レンズ群Ｇ４とが、物体側より順に配設されている。第２レンズ群Ｇ２は、６枚以上のレンズで構成され、最も物体側に、物体側に凸面を向けた凹メニスカスレンズＬ２１が配置されている。第３レンズ群Ｇ３は、物体側に凹面を向けた凸メニスカスレンズＬ３１と凹レンズＬ３２とからなる接合レンズのみで構成されている。【選択図】      図１
2005084409.tif 000002
【特許請求の範囲】
【請求項１】
物体側から順に、
変倍時に固定の正の屈折力を有する第１レンズ群と、
変倍時に可動の負の屈折力を有する第２レンズ群と、
変倍に伴う像面の変動を補正する負の第３レンズ群と、
変倍時に固定の正の屈折力を有する第４レンズ群と
を備え、
前記第２レンズ群は、
６枚以上のレンズで構成され、最も物体側に、物体側に凸面を向けた凹メニスカスレンズが配置され、かつ、以下の条件式（１）を満足するように構成されている
ことを特徴とする広角ズームレンズ。
ＮｄG21＞１．９  ……（１）
ただし、
ＮｄG21：第２レンズ群における最も物体側のレンズのｄ線に対する屈折率
【請求項２】
さらに、以下の条件式（２）を満足するように構成されている
ことを特徴とする請求項１に記載の広角ズームレンズ。
ＮｄG21＞２．０  ……（２）
【請求項３】
前記第２レンズ群は、物体側から順に、
物体側に凸面を向けた凹メニスカスレンズからなる第１レンズと、
凹レンズからなる第２レンズと、
凸レンズからなる第３レンズおよび凹レンズからなる第４レンズで構成され、物体側に凹面を向けた接合面を持つ接合レンズと、
凸レンズからなる第５レンズと、
凹レンズからなる第６レンズとの６枚のレンズで構成されている
ことを特徴とする請求項１または２に記載の広角ズームレンズ。
【請求項４】
さらに、前記第２レンズ群における前記接合レンズの接合面に関して、以下の条件式（３）を満足するように構成されている
ことを特徴とする請求項３に記載の広角ズームレンズ。
−１．７５＜Ｒａ／Ｅａ＜−１．０５  ……（３）
ただし、
Ｒａ：第２レンズ群における接合レンズの接合面の曲率半径
Ｅａ：第２レンズ群における接合レンズの接合面の有効半径
【請求項５】
物体側から順に、
変倍時に固定の正の屈折力を有する第１レンズ群と、
変倍時に可動の負の屈折力を有する第２レンズ群と、
変倍に伴う像面の変動を補正する負の第３レンズ群と、
変倍時に固定の正の屈折力を有する第４レンズ群と
を備え、
前記第３レンズ群が、
物体側に凹面を向けた凸メニスカスレンズと凹レンズとからなる接合レンズのみで構成されている
ことを特徴とする広角ズームレンズ。
【請求項６】
前記第３レンズ群における凸メニスカスレンズに関して、以下の条件式（４）を満足するように構成されている
ことを特徴とする請求項５に記載の広角ズームレンズ。
ＮｄG31＞１．７５  ……（４）
ただし、
ＮｄG31：第３レンズ群における凸メニスカスレンズのｄ線に対する屈折率
【請求項７】
さらに、以下の条件式（５）を満足するように構成されている
ことを特徴とする請求項５または６に記載の広角ズームレンズ。
−５．２＜ＲG31／ｆｗ＜−２．２  ……（５）
ただし、
ＲG31：第３レンズ群の最も物体側の面の曲率半径
ｆｗ：広角端における全系の焦点距離
【請求項８】
物体側から順に、
変倍時に固定の正の屈折力を有する第１レンズ群と、
変倍時に可動の負の屈折力を有する第２レンズ群と、
変倍に伴う像面の変動を補正する負の第３レンズ群と、
変倍時に固定の正の屈折力を有する第４レンズ群と
を備え、
前記第２レンズ群が、
６枚以上のレンズで構成され、最も物体側に、物体側に凸面を向けた凹メニスカスレンズが配置された構成となっており、
前記第３レンズ群が、
物体側に凹面を向けた凸メニスカスレンズと凹レンズとからなる接合レンズのみで構成されている
ことを特徴とする広角ズームレンズ。
【請求項９】
さらに、前記第２レンズ群に関し、以下の条件式（１）を満足するように構成されている
ことを特徴とする請求項８に記載の広角ズームレンズ。
ＮｄG21＞１．９  ……（１）
ただし、
ＮｄG21：第２レンズ群における最も物体側のレンズのｄ線に対する屈折率
【請求項１０】
さらに、前記第２レンズ群に関し、以下の条件式（２）を満足するように構成されている
ことを特徴とする請求項８に記載の広角ズームレンズ。
ＮｄG21＞２．０  ……（２）
ただし、
ＮｄG21：第２レンズ群における最も物体側のレンズのｄ線に対する屈折率
【請求項１１】
前記第２レンズ群は、物体側から順に、
物体側に凸面を向けた凹メニスカスレンズからなる第１レンズと、
凹レンズからなる第２レンズと、
凸レンズからなる第３レンズおよび凹レンズからなる第４レンズで構成され、物体側に凹面を向けた接合面を持つ接合レンズと、
凸レンズからなる第５レンズと、
凹レンズからなる第６レンズとの６枚のレンズで構成されている
ことを特徴とする請求項８ないし１０のいずれか１項に記載の広角ズームレンズ。
【請求項１２】
さらに、前記第２レンズ群における前記接合レンズの接合面に関して、以下の条件式（３）を満足するように構成されている
ことを特徴とする請求項１１に記載の広角ズームレンズ。
−１．７５＜Ｒａ／Ｅａ＜−１．０５  ……（３）
ただし、
Ｒａ：第２レンズ群における接合レンズの接合面の曲率半径
Ｅａ：第２レンズ群における接合レンズの接合面の有効半径
【請求項１３】
前記第３レンズ群における凸メニスカスレンズに関して、以下の条件式（４）を満足するように構成されている
ことを特徴とする請求項８ないし１２のいずれか１項に記載の広角ズームレンズ。
ＮｄG31＞１．７５  ……（４）
ただし、
ＮｄG31：第３レンズ群における凸メニスカスレンズのｄ線に対する屈折率
【請求項１４】
さらに、以下の条件式（５）を満足するように構成されている
ことを特徴とする請求項８ないし１３のいずれか１項に記載の広角ズームレンズ。
−５．２＜ＲG31／ｆｗ＜−２．２  ……（５）
ただし、
ＲG31：第３レンズ群の最も物体側の面の曲率半径
ｆｗ：広角端における全系の焦点距離
【発明の詳細な説明】
【技術分野】
【０００１】
本発明は、ＴＶ（テレビジョン）放送用のカメラやビデオカメラ等への搭載に適した、小型で高変倍比（例えば１７〜１８倍程度）の広角ズームレンズに関する。
【背景技術】
【０００２】
テレビカメラやビデオカメラ等に搭載されるズームレンズとしては、例えば、４群タイプのものが知られている。４群ズーム方式のレンズとしては、例えば、物体側から第２番目のレンズ群を変倍用のレンズ群とし、その変倍に伴う像面変動を第３番目のレンズ群によって補正するタイプが知られている。
【０００３】
このようなタイプのズームレンズの従来技術としては、例えば以下の特許文献１に記載のものがある。この特許文献１において、第３レンズ群としては、２枚および３枚構成の例が記載されている。２枚構成としては、負レンズが先行配置された接合レンズの例が記載されている。
【特許文献１】特許第３３２６９００号公報
【発明の開示】
【発明が解決しようとする課題】
【０００４】
近年、ＣＣＤ（Charge Coupled Device）などの固体撮像素子は、小型化が進んでいる。そのため、固体撮像素子を用いた撮像装置において、装置本体、ならびにそれに搭載されるレンズにも、小型軽量化が求められている。また近年では、高画質を達成するために、画素数の多い撮像素子が開発されており、それに伴いレンズ系にも、より高解像で高コントラストな性能が要求されてきている。また、使い勝手の点から、広い範囲での撮影が可能な高変倍比のズームレンズの開発が望まれている。
【０００５】
しかしながら、４群ズーム方式のレンズによって特に広角タイプのズームレンズを実現しようとすると、物体側から第１番目のレンズ群が大型化し、重量も重くなりがちである。そこで、小型、軽量化を図るために、第１レンズ群のレンズ枚数を減らしたり、第１レンズ群を構成する各レンズを薄型化することが考えられるが、この場合、コマ収差や像面湾曲の悪化を招きやすい。従って、小型軽量化を図りながらも、諸収差の発生を抑制した高変倍比の広角ズームレンズの開発が望まれる。
【０００６】
本発明はかかる問題点に鑑みてなされたもので、その目的は、小型軽量化を図りながらも、ズーム全域にわたって諸収差が良好に補正され、高変倍比、高解像および高コントラストな光学性能を実現できるようにした広角ズームレンズを提供することにある。
【課題を解決するための手段】
【０００７】
本発明の第１ないし第３の観点に係る広角ズームレンズは、物体側から順に、変倍時に固定の正の屈折力を有する第１レンズ群と、変倍時に可動の負の屈折力を有する第２レンズ群と、変倍に伴う像面の変動を補正する負の第３レンズ群と、変倍時に固定の正の屈折力を有する第４レンズ群とを備えている。さらに、各観点に係る広角ズームレンズは、それぞれ、以下の構成を有する。
【０００８】
特に、本発明の第１の観点に係る広角ズームレンズは、第２レンズ群が、６枚以上のレンズで構成され、最も物体側に、物体側に凸面を向けた凹メニスカスレンズが配置され、かつ、以下の条件式（１）を満足するように構成されているものである。
ＮｄG21＞１．９  ……（１）
ただし、ＮｄG21は、第２レンズ群における最も物体側のレンズのｄ線に対する屈折率を示す。
【０００９】
本発明の第１の観点に係る広角ズームレンズでは、このような構成にすることで、主に像面湾曲の補正がしやすくなり、第１レンズ群の小型、軽量化を図った際における収差補正がしやすくなる。さらに、以下の好ましい構成を適宜採用することで、より良好に収差補正がしやすくなり、高変倍比、高解像および高コントラストな光学性能を実現しやすくなる。
【００１０】
本発明の第１の観点に係る広角ズームレンズは、さらに、以下の条件式（２）を満足するように構成されていることが好ましい。
ＮｄG21＞２．０  ……（２）
【００１１】
また、第２レンズ群が、物体側から順に、物体側に凸面を向けた凹メニスカスレンズからなる第１レンズと、凹レンズからなる第２レンズと、凸レンズからなる第３レンズおよび凹レンズからなる第４レンズで構成され、物体側に凹面を向けた接合面を持つ接合レンズと、凸レンズからなる第５レンズと、凹レンズからなる第６レンズとの６枚のレンズで構成されていることが好ましい。
【００１２】
このような構成にした場合において、第２レンズ群における接合レンズの接合面に関して、さらに以下の条件式（３）を満足するように構成されていることが、より好ましい。
−１．７５＜Ｒａ／Ｅａ＜−１．０５  ……（３）
ただし、Ｒａは、第２レンズ群における接合レンズの接合面の曲率半径、Ｅａは、第２レンズ群における接合レンズの接合面の有効半径を示す。
【００１３】
本発明の第２の観点に係る広角ズームレンズは、第３レンズ群が、物体側に凹面を向けた凸メニスカスレンズと凹レンズとからなる接合レンズのみで構成されているものである。
【００１４】
本発明の第２の観点に係る広角ズームレンズでは、このような構成にすることで、主にコマ収差と像面湾曲との補正がしやすくなり、第１レンズ群の小型、軽量化を図った際における収差補正がしやすくなる。さらに、以下の好ましい構成を適宜採用することで、より良好に収差補正がしやすくなり、高変倍比、高解像および高コントラストな光学性能を実現しやすくなる。
【００１５】
本発明の第２の観点に係る広角ズームレンズにおいて、第３レンズ群における凸メニスカスレンズに関して、以下の条件式（４）を満足するように構成されていることが好ましい。
ＮｄG31＞１．７５  ……（４）
ただし、ＮｄG31は、第３レンズ群における凸メニスカスレンズのｄ線に対する屈折率を示す。
【００１６】
また、以下の条件式（５）を満足するように構成されていることが好ましい。
−５．２＜ＲG31／ｆｗ＜−２．２  ……（５）
ただし、ＲG31は、第３レンズ群の最も物体側の面の曲率半径、ｆｗは、広角端における全系の焦点距離を示す。
【００１７】
本発明の第３の観点に係る広角ズームレンズは、第２レンズ群が、６枚以上のレンズで構成され、最も物体側に、物体側に凸面を向けた凹メニスカスレンズが配置された構成となっており、第３レンズ群が、物体側に凹面を向けた凸メニスカスレンズと凹レンズとからなる接合レンズのみで構成されているものである。
【００１８】
本発明の第３の観点に係る広角ズームレンズはさらに、上記した本発明の第１および第２の観点に係る広角ズームレンズにおける好ましい構成を適宜採用するようにしても良い。
【００１９】
本発明の第３の観点に係る広角ズームレンズでは、このような構成にすることで、第１レンズ群の小型、軽量化を図った際における諸収差の補正がしやすくなり、高変倍比、高解像および高コントラストな光学性能を実現しやすくなる。
【発明の効果】
【００２０】
本発明の第１の観点に係る広角ズームレンズによれば、第２レンズ群を、６枚以上のレンズで構成し、最も物体側に、物体側に凸面を向けた凹メニスカスレンズを配置し、かつ、その凹メニスカスレンズの屈折率に関し所定の条件式（１）を満足するように構成したので、小型軽量化を図りながらも、ズーム全域にわたって諸収差が良好に補正され、高変倍比、高解像および高コントラストな光学性能を実現できる。
【００２１】
本発明の第２の観点に係る広角ズームレンズによれば、第３レンズ群を、物体側に凹面を向けた凸メニスカスレンズと凹レンズとからなる接合レンズのみで構成するようにしたので、小型軽量化を図りながらも、ズーム全域にわたって諸収差が良好に補正され、高変倍比、高解像および高コントラストな光学性能を実現できる。
【００２２】
本発明の第３の観点に係る広角ズームレンズによれば、第２レンズ群を、６枚以上のレンズで構成し、最も物体側に、物体側に凸面を向けた凹メニスカスレンズが配置された構成とし、第３レンズ群を、物体側に凹面を向けた凸メニスカスレンズと凹レンズとからなる接合レンズのみで構成するようにしたので、小型軽量化を図りながらも、ズーム全域にわたって諸収差が良好に補正され、高変倍比、高解像および高コントラストな光学性能を実現できる。
【発明を実施するための最良の形態】
【００２３】
以下、本発明の実施の形態について図面を参照して詳細に説明する。
【００２４】
図１（Ａ），（Ｂ）は、本発明の一実施の形態に係る広角ズームレンズの構成例を示している。この構成例は、後述の第１の数値実施例（表１）のレンズ構成に対応している。なお、図１（Ａ）は、広角端におけるレンズ配置を示し、図１（Ｂ）は、望遠端でのレンズ配置を示している。図１（Ａ），（Ｂ）において、符号Ｒｉは、最も物体側の構成要素の面を１番目として、像側（結像側）に向かうに従い順次増加するようにして符号を付したｉ番目（ｉ＝１〜４４）の面の曲率半径を示す。符号Ｄｉは、ｉ番目の面とｉ＋１番目の面との光軸Ｚ１上の面間隔を示す。なお符号Ｄｉについては、変倍に伴って移動する部分の面間隔Ｄ１２，Ｄ２３，Ｄ２６のみ符号を付す。
【００２５】
この広角ズームレンズは、例えば固体撮像素子を用いたテレビカメラやビデオカメラに搭載されて使用されるものである。この広角ズームレンズは、光軸Ｚ１に沿って、変倍時に固定の正の屈折力を有する第１レンズ群Ｇ１と、変倍時に可動の負の屈折力を有する第２レンズ群Ｇ２と、変倍に伴う像面の変動を補正する負の第３レンズ群Ｇ３と、変倍時に固定の正の屈折力を有する第４レンズ群Ｇ４とが、物体側より順に配設された構成となっている。絞りＳｔは、例えば、第３レンズ群Ｇ３と第４レンズ群Ｇ４との間に配置されている。
【００２６】
この広角ズームレンズの結像面（撮像面）Ｓｉｍｇには、例えば図示しない撮像素子が配置される。第４レンズ群Ｇ４と撮像面との間には、レンズを装着するカメラ側の構成に応じて、種々の光学部材が配置されていても良い。図示した構成例では、色分解プリズム等からなる色分解光学系ＧＣが配置されている。
【００２７】
第１レンズ群Ｇ１は、例えば６枚のレンズＬ１１〜Ｌ１６により構成されている。レンズＬ１１は例えば、両凹レンズとなっている。レンズＬ１２〜Ｌ１５は例えば、両凸レンズとなっている。レンズＬ１６は例えば、物体側に凸面を向けた凸メニスカスレンズとなっている。
【００２８】
第４レンズ群Ｇ４は、例えば９枚のレンズＬ４１〜Ｌ４９により構成されている。図に示した構成例では、レンズＬ４３とレンズＬ４４との間の間隔が比較的大きく取られているが、これらのレンズ間には、例えば全体の焦点距離を長焦点側にシフトさせるようなエクステンダーレンズが挿入可能となっている。
【００２９】
第２レンズ群Ｇ２は、６枚以上のレンズで構成され、最も物体側に、物体側に凸面を向けた凹メニスカスレンズが配置された構成となっている。より具体的には、物体側から順に、物体側に凸面を向けた凹メニスカスレンズからなる第１レンズＬ２１と、凹レンズからなる第２レンズＬ２２と、第３レンズＬ２３および第４レンズＬ２４からなる接合レンズと、凸レンズからなる第５レンズＬ２５と、凹レンズからなる第６レンズＬ２６との６枚のレンズで構成されていることが好ましい。接合レンズは、第３レンズＬ２３が凸レンズ、第４レンズＬ２４が凹レンズからなり、物体側に凹面を向けた接合面を持つように構成されていることが好ましい。
【００３０】
第２レンズ群Ｇ２は、最も物体側に配置された第１レンズＬ２１に関し、以下の条件式（１）を満足するように構成されていることが好ましい。より好ましくは、条件式（２）を満足すると良い。ＮｄG21は、第１レンズＬ２１のｄ線に対する屈折率を示す。
ＮｄG21＞１．９  ……（１）
ＮｄG21＞２．０  ……（２）
【００３１】
さらに、第２レンズ群Ｇ２における接合レンズの接合面に関して、以下の条件式（３）を満足するように構成されていることが好ましい。ただし、Ｒａは接合レンズの接合面の曲率半径、Ｅａは接合面の有効半径を示す。
−１．７５＜Ｒａ／Ｅａ＜−１．０５  ……（３）
【００３２】
第３レンズ群Ｇ３は、物体側に凹面を向けた凸メニスカスレンズＬ３１と、凹レンズＬ３２とからなる接合レンズのみで構成されている。
【００３３】
第３レンズ群Ｇ３における凸メニスカスレンズＬ３１に関しては、以下の条件式（４）を満足していることが好ましい。Ｎｄ３１は、凸メニスカスレンズＬ３１のｄ線に対する屈折率を示す。
ＮｄG31＞１．７５  ……（４）
【００３４】
第３レンズ群Ｇ３はさらに、以下の条件式（５）を満足するように構成されていることが好ましい。ＲG31は、第３レンズ群Ｇ３の最も物体側の面の曲率半径、ｆｗは、広角端における全系の焦点距離を示す。
−５．２＜ＲG31／ｆｗ＜−２．２  ……（５）
【００３５】
次に、以上のように構成された広角ズームレンズの作用および効果を説明する。
【００３６】
この広角ズームレンズでは、第２レンズ群Ｇ２を光軸上で移動させることにより変倍が行われ、それに伴う像面の変動の補正が第３レンズ群Ｇ３を光軸上で移動させることにより行われる。第２レンズ群Ｇ２と第３レンズ群Ｇ３は、広角端から望遠端へと変倍させるに従い、図１（Ａ）に実線で示した軌跡を描くように移動する。
【００３７】
この広角ズームレンズでは、他のレンズ群に比べて相対的に第１レンズ群Ｇ１の大きさおよび重量が大きくなっている。このため、第１レンズ群Ｇ１のレンズ枚数を減らしたり、第１レンズ群Ｇ１を構成する各レンズを薄型化することにより、全体の小型、軽量化を図ることができる。この広角ズームレンズでは、その際に発生するコマ収差や像面湾曲などの諸収差を、第２レンズ群Ｇ２および第３レンズ群Ｇ３の構成を最適化することで、良好に補正している。
【００３８】
特に、第３レンズ群Ｇ３を、物体側に凹面を向けた凸メニスカスレンズＬ３１と凹レンズＬ３２とからなる接合レンズのみで構成することで、コマ収差と像面湾曲とを良好に補正している。
【００３９】
条件式（１），（２）は、第２レンズ群Ｇ２における最も物体側のレンズＬ２１の適切な屈折率の条件を規定している。条件式（１）を満足することで、特にズーム途中（２倍〜４倍程度）での像面湾曲を良好に補正できる。好ましくは条件式（２）を満足することで、像面湾曲をより良好に補正できる。
【００４０】
条件式（３）は、第２レンズ群Ｇ２における接合レンズ（レンズＬ２３，２４）の接合面に関して、適切な形状を規定している。条件式（３）の上限を越えると、加工しにくくなるなど、加工上の問題が発生するので好ましくない。条件式（３）の下限を越えると、特に倍率色収差が増大するので好ましくない。
【００４１】
条件式（４）は、第３レンズ群Ｇ３における凸メニスカスレンズＬ３１の適切な屈折率の条件を規定している。条件式（４）の条件値を外れると、特にコマ収差と像面湾曲が増大するので好ましくない。
【００４２】
条件式（５）は、第３レンズ群Ｇ３の最も物体側の面の曲率半径に関して、適切な形状を規定している。条件式（５）の範囲を外れると、特に像面湾曲が増大するので好ましくない。
【００４３】
以上のようにして、本実施の形態によれば、特に第２レンズ群Ｇ２および第３レンズ群Ｇ３の構成を最適化することで、小型軽量化を図りながらも、ズーム全域にわたって諸収差が良好に補正され、物体距離全般にわたって高変倍比、高解像および高コントラストな光学性能を実現できる。
【実施例】
【００４４】
次に、本実施の形態に係る広角ズームレンズの具体的な数値実施例について説明する。以下では、第１〜第５の数値実施例（実施例１〜５）をまとめて説明する。表１は、図１（Ａ），（Ｂ）に示した広角ズームレンズの構成に対応する具体的なレンズデータ（実施例１）を示している。
【００４５】
表１に示したレンズデータにおける面番号Ｓｉの欄には、実施例１に係る広角ズームレンズについて、最も物体側の構成要素の面を１番目として、像側に向かうに従い順次増加するようにして符号を付したｉ番目（ｉ＝１〜４４）の面の番号を示している。曲率半径Ｒｉの欄には、図１（Ｂ）において付した符号Ｒｉに対応させて、物体側からｉ番目の面の曲率半径の値を示す。面間隔Ｄｉの欄についても、同様に物体側からｉ番目の面Ｓｉとｉ＋１番目の面Ｓｉ＋１との光軸上の間隔を示す。曲率半径Ｒｉおよび面間隔Ｄｉの値の単位はミリメートル（ｍｍ）である。Ｎｄｊ，νｄｊの欄には、色分解光学系ＧＣも含めて、物体側からｊ番目（ｊ＝１〜２５）のレンズ要素のｄ線（５８７．６ｎｍ）に対する屈折率およびアッベ数の値を示す。
【００４６】
【表１】
2005084409.tif 000003
【００４７】
この実施例１に係る広角ズームレンズは、変倍に伴って第２レンズ群Ｇ２および第３レンズ群Ｇ３が光軸上を移動するため、表１に示したように、これらの各群の前後の面間隔Ｄ１２，Ｄ２３，Ｄ２６の値は可変となっている。これらの面間隔Ｄ１２，Ｄ２３，Ｄ２６の変倍時のデータとして、広角端および望遠端における値を、以下の表２に示す。表２にはまた、広角端および望遠端での焦点距離ｆの値（ｍｍ）とＦナンバー（ＦＮＯ．）の値とについても示す。表２のデータから分かるように、実施例１に係る広角ズームレンズの変倍比は約１７倍となっている。
【００４８】
【表２】
2005084409.tif 000004
【００４９】
実施例１と同様にして、他の実施例に係る広角ズームレンズに関するレンズデータを、以下の表３〜表１０に示す。表３，表４は実施例２に係る広角ズームレンズ、表５，表６は実施例３に係る広角ズームレンズ、表７，表８は実施例４に係る広角ズームレンズ、表９，表１０は実施例５に係る広角ズームレンズに関するレンズデータを示している。実施例２〜５に係る広角ズームレンズの断面構成は、図１（Ａ），（Ｂ）とほぼ同様である。
【００５０】
【表３】
2005084409.tif 000005
【００５１】
【表４】
2005084409.tif 000006
【００５２】
【表５】
2005084409.tif 000007
【００５３】
【表６】
2005084409.tif 000008
【００５４】
【表７】
2005084409.tif 000009
【００５５】
【表８】
2005084409.tif 000010
【００５６】
【表９】
2005084409.tif 000011
【００５７】
【表１０】
2005084409.tif 000012
【００５８】
また、以下の表１１に、上述の条件式（１）〜（５）に関する値を、各実施例についてまとめたものを示す。表１１に示したように、各実施例の値が、各条件式（１）〜（５）の数値範囲内となっている。
【００５９】
【表１１】
2005084409.tif 000013
【００６０】
図２（Ａ）〜（Ｃ）は、実施例１の広角ズームレンズにおける広角端での球面収差、非点収差、およびディストーション（歪曲収差）を示している。図３（Ａ）〜（Ｃ）は、望遠端における同様の各収差を示している。各収差図には、波長５４６．１ｎｍを基準波長とした収差を示すが、球面収差図には、波長４６０．０ｎｍ，波長６１５．０ｎｍについての収差も示す。非点収差図において、実線はサジタル方向、破線はタンジェンシャル方向の収差を示す。ωは、半画角を示す。
【００６１】
同様に、実施例２についての諸収差を図４（Ａ）〜（Ｃ）（広角端）および図５（Ａ）〜（Ｃ）（望遠端）に示す。実施例３についての諸収差も同様にして、図６（Ａ）〜（Ｃ）（広角端）および図７（Ａ）〜（Ｃ）（望遠端）に示す。実施例４についての諸収差も同様にして、図８（Ａ）〜（Ｃ）（広角端）および図９（Ａ）〜（Ｃ）（望遠端）に示す。実施例５についての諸収差も同様にして、図１０（Ａ）〜（Ｃ）（広角端）および図１１（Ａ）〜（Ｃ）（望遠端）に示す。
【００６２】
以上の各数値データおよび各収差図から分かるように、各実施例について、諸収差が良好に補正され、小型化、広角化および高変倍比化が図られている。
【００６３】
なお、本発明は、上記実施の形態および各実施例に限定されず種々の変形実施が可能である。例えば、各レンズ成分の曲率半径、面間隔および屈折率の値などは、上記各数値実施例で示した値に限定されず、他の値をとり得る。
【図面の簡単な説明】
【００６４】
【図１】本発明の一実施の形態に係る広角ズームレンズの構成例を示すものであり、各実施例に対応するレンズ断面図である。
【図２】実施例１に係る広角ズームレンズの広角端における球面収差、非点収差、およびディストーションを示す収差図である。
【図３】実施例１に係る広角ズームレンズの望遠端における球面収差、非点収差、およびディストーションを示す収差図である。
【図４】実施例２に係る広角ズームレンズの広角端における球面収差、非点収差、およびディストーションを示す収差図である。
【図５】実施例２に係る広角ズームレンズの望遠端における球面収差、非点収差、およびディストーションを示す収差図である。
【図６】実施例３に係る広角ズームレンズの広角端における球面収差、非点収差、およびディストーションを示す収差図である。
【図７】実施例３に係る広角ズームレンズの望遠端における球面収差、非点収差、およびディストーションを示す収差図である。
【図８】実施例４に係る広角ズームレンズの広角端における球面収差、非点収差、およびディストーションを示す収差図である。
【図９】実施例４に係る広角ズームレンズの望遠端における球面収差、非点収差、およびディストーションを示す収差図である。
【図１０】実施例５に係る広角ズームレンズの広角端における球面収差、非点収差、およびディストーションを示す収差図である。
【図１１】実施例５に係る広角ズームレンズの望遠端における球面収差、非点収差、およびディストーションを示す収差図である。
【符号の説明】
【００６５】
ＧＣ…色分解光学系、Ｇ１…第１レンズ群、Ｇ２…第２レンズ群、Ｇ３…第３レンズ群、Ｇ４…第４レンズ群、Ｓｔ…絞り、Ｒｉ…物体側から第ｉ番目のレンズ面の曲率半径、Ｄｉ…物体側から第ｉ番目と第ｉ＋１番目のレンズ面との面間隔、Ｚ１…光軸。
【図１】
2005084409.tif 000014
【図２】
2005084409.tif 000015
【図３】
2005084409.tif 000016
【図４】
2005084409.tif 000017
【図５】
2005084409.tif 000018
【図６】
2005084409.tif 000019
【図７】
2005084409.tif 000020
【図８】
2005084409.tif 000021
【図９】
2005084409.tif 000022
【図１０】
2005084409.tif 000023
【図１１】
2005084409.tif 000024